(57)【要約】【課題】店舗のショーウインドウに外向きにディスプレイを配置し、デジタルサイネージとしての要求および防犯上の要求を満たす表示技術を提供すること。【解決手段】店舗のショーウインドウに外向きに取り付けられるディスプレイ１０と、ディスプレイ１０に再生表示するコンテンツのデータであるコンテンツデータを保持する保持部２０と、店舗内を撮像するカメラ３０からリアルタイムに撮像データを取得する取得部４０と、保持部２０から取得したコンテンツデータ、または、取得部４０からリアルタイムに取得した撮像データを利用して、ディスプレイ１０に画像を表示する再生部５０と、再生部５０がコンテンツデータ、または、撮像データのいずれを利用して再生を行うか、を制御する制御部６０と、を有し、現在の時刻に応じてディスプレイ１０に再生表示するコンテンツの内容を変更する表示システム１を提供する。【選択図】図１
2011133715.tif 000002
【特許請求の範囲】
【請求項１】
店舗のショーウインドウに外向きに取り付けられるディスプレイと、
前記ディスプレイに再生表示するコンテンツのデータであるコンテンツデータを保持する保持手段と、
前記店舗内を撮像するカメラからリアルタイムに撮像データを取得する取得手段と、
前記保持手段から取得した前記コンテンツデータ、または、前記取得手段からリアルタイムに取得した前記撮像データを利用して、前記ディスプレイに画像を表示する再生手段と、
前記再生手段が前記コンテンツデータ、または、前記撮像データのいずれを利用して再生を行うか、を制御する制御手段と、を有し、
前記制御手段は、
現在の時刻を示すデータを取得する現在時刻取得手段と、
現在の時刻に応じて、前記コンテンツデータ、または、前記撮像データのいずれを利用して再生を行うか決定する決定手段と、を有する表示システム。
【請求項２】
請求項１に記載の表示システムにおいて、
前記決定手段は、
第１の時間帯は前記コンテンツデータを利用して再生を行い、第２の時間帯は前記撮像データを利用して再生を行うよう決定する、表示システム。
【請求項３】
請求項１に記載の表示システムにおいて、
前記制御手段は、前記ディスプレイを取り付けた前記店舗内の現在の顧客の人数を示すデータを取得する現在顧客数取得手段をさらに有し、
前記決定手段は、
現在の時刻および前記店舗内の現在の顧客の人数に応じて、前記コンテンツデータ、または、前記撮像データのいずれを利用して再生を行うか決定する、表示システム。
【請求項４】
請求項３に記載の表示システムにおいて、
前記決定手段は、
第１の時間帯は、前記コンテンツデータを利用して再生を行い、
第２の時間帯は、前記店舗内の現在の顧客の人数が所定の数以上の場合は前記コンテンツデータを利用して再生を行い、前記店舗内の現在の顧客の人数が前記所定の数未満の場合は前記撮像データを利用して再生を行うよう決定する、表示システム。
【請求項５】
請求項２または４に記載の表示システムにおいて、
前記第１の時間帯は６時から２２時までの時間帯であり、前記第２の時間帯は２２時から６時までの時間帯である、表示システム。
【請求項６】
請求項１から５のいずれか一に記載の表示システムにおいて、
前記ディスプレイは、１ｍ以上２ｍ以下の高さに取り付けられる、表示システム。
【請求項７】
請求項１から６のいずれか一に記載の表示システムにおいて、
前記店舗は、キャッシュレジスターを有し、
前記カメラは、前記店舗内の前記キャッシュレジスター近辺を撮像している、表示システム。
【請求項８】
請求項１から７のいずれか一に記載の表示システムにおいて、
前記コンテンツデータは、デジタルサイネージ用のコンテンツデータである、表示システム。
【請求項９】
請求項１から８のいずれか一に記載の表示システムを備えた施設。
【請求項１０】
店舗のショーウインドウに外向きに取り付けられるディスプレイに、あらかじめ保持しているコンテンツデータまたは店舗内を撮像するカメラからリアルタイムに取得した撮像データ、のいずれかを利用して画像を表示する表示システムの動作方法であって、
現在の時刻を示すデータを取得する現在時刻取得工程と、
現在の時刻に応じて、前記コンテンツデータ、または、前記撮像データのいずれを利用して前記ディスプレイに画像を表示するか決定する決定工程と、
前記決定工程で決定した前記コンテンツデータまたは前記撮像データを利用して、前記ディスプレイに画像を表示する再生工程と、
を有する表示システムの動作方法。
【発明の詳細な説明】
【技術分野】
【０００１】
本発明は、表示システム、施設、および、表示システムの動作方法に関する。
【背景技術】
【０００２】
近年、デジタルサイネージの応用例として、コンビニなどの店舗のショーウインドウにディスプレイを外向きに設置し、通行人などに向けて広告などの情報を流す技術がある。
【０００３】
特許文献１には、デジタルサイネージに関する技術が記載されている。すなわち、デジタルサイネージ用のディスプレイに表示する広告の表示スケジュールを、ユーザによるコンテンツ詳細へのアクセスに応じて変更する電子広告システムが記載されている。
【先行技術文献】
【特許文献】
【０００４】
【特許文献１】特開２００９−１２８４９８号公報
【発明の概要】
【発明が解決しようとする課題】
【０００５】
デジタルサイネージにおいて、ディスプレイを介して提供する情報をより多くの人に届けるためには、ディスプレイの位置は重要である。人目に付きやすい位置にディスプレイが配置されておれば、より多くの人がこのディスプレイを見るため、より多くの人に情報を提供することができる。
【０００６】
コンビニなどの店舗のショーウインドウにディスプレイを外向きに設置する場合、情報提供のターゲットは店舗の外にいる通行人である。かかる場合、立った状態の人の目線の高さにディスプレイを配置するのが好ましい。
【０００７】
一方で、コンビニなどの店舗、特に深夜営業を行っている店舗のショーウインドウは、見通しを良くすることが望まれる。例えば店舗内で事件が起きた際、ショーウインドウの見通しを良くしておけば、店舗の外にいる通行人が店舗内で起きている状況に気付き、警察に通報することができる。
【０００８】
このように、防犯上、コンビニなどの店舗のショーウインドウは、見通しを良くすることが望まれる。しかし、店舗のショーウインドウに、店舗の外にいる通行人の目に付きやすいようディスプレイを設置すると、十分な見通しが確保できなくなる。
【０００９】
そこで、本発明では、コンビニなどの店舗のショーウインドウに外向きにディスプレイを配置する表示手段であって、デジタルサイネージとしての要求および防犯上の要求を十分に満たす表示技術を提供することを課題とする。
【課題を解決するための手段】
【００１０】
本発明によれば、店舗のショーウインドウに外向きに取り付けられるディスプレイと、前記ディスプレイに再生表示するコンテンツのデータであるコンテンツデータを保持する保持手段と、前記店舗内を撮像するカメラからリアルタイムに撮像データを取得する取得手段と、前記保持手段から取得した前記コンテンツデータ、または、前記取得手段からリアルタイムに取得した前記撮像データを利用して、前記ディスプレイに画像を表示する再生手段と、前記再生手段が前記コンテンツデータ、または、前記撮像データのいずれを利用して再生を行うか、を制御する制御手段と、を有し、前記制御手段は、現在の時刻を示すデータを取得する現在時刻取得手段と、現在の時刻に応じて、前記コンテンツデータ、または、前記撮像データのいずれを利用して再生を行うか決定する決定手段と、を有する表示システムが提供される。
【００１１】
また、本発明によれば、上記表示システムを備えた店舗などの施設が提供される。
【００１２】
また、本発明によれば、店舗のショーウインドウに外向きに取り付けられるディスプレイに、あらかじめ保持しているコンテンツデータまたは店舗内を撮像するカメラからリアルタイムに取得した撮像データ、のいずれかを利用して画像を表示する表示システムの動作方法であって、現在の時刻を示すデータを取得する現在時刻取得工程と、現在の時刻に応じて、前記コンテンツデータ、または、前記撮像データのいずれを利用して前記ディスプレイに画像を表示するか決定する決定工程と、前記決定工程で決定した前記コンテンツデータまたは前記撮像データを利用して、前記ディスプレイに画像を表示する再生工程と、を有する表示システムの動作方法が提供される。
【発明の効果】
【００１３】
本発明によれば、店舗のショーウインドウに外向きにディスプレイを配置する表示手段であって、デジタルサイネージとしての要求および防犯上の要求を十分に満たす表示技術を提供することができる。
【図面の簡単な説明】
【００１４】
【図１】実施形態１の表示システムの一例を示す機能ブロック図である。
【図２】実施形態１の表示システムの一例を説明するための概念図である。
【図３】実施形態１の表示システムの動作方法の一例を示すフローチャート図である。
【図４】実施形態１のディスプレイを保持する手段の一例を示す斜視図である。
【図５】実施形態１のディスプレイを保持する手段の一例を示す斜視図である。
【図６】実施形態１の指向性スピーカの一例を示す概念図である。
【図７】実施形態２の表示システムの一例を示す機能ブロック図である。
【図８】実施形態２の表示システムの一例を説明するための概念図である。
【図９】実施形態２の表示システムの動作方法の一例を示すフローチャート図である。
【発明を実施するための形態】
【００１５】
以下、本発明の実施の形態について、図面を用いて説明する。すべての図面において、同様な構成要素には同様の符号を付し、適宜説明を省略する。
【００１６】
なお、各実施形態の表示システムを構成する各部は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００１７】
また、各実施形態の説明において利用する機能ブロック図は、ハードウエア単位の構成ではなく、機能単位のブロックを示している。これらの図においては、各実施形態の表示システムは一つの物理的に分離した装置により実現されるよう記載されているが、その実現手段はこれに限定されない。すなわち、二つ以上の物理的に分離した装置を有線または無線で接続し、これら複数の装置により、各実施形態の表示システムを実現してもよい。
＜実施形態１＞
【００１８】
まず、本実施形態の表示システムの概要について図２を用いて説明する。本実施形態の表示システムは、コンビニなどの店舗のショーウインドウに外向きにディスプレイを取り付ける。このディスプレイは、通行人の目に付きやすいように、通行人の目線の高さに取り付けることができる。このように、ディスプレイを通行人の目に付きやすい高さに取り付けると、デジタルサイネージとしての要求を十分に満たすことができる。しかし、ショーウインドウの見通しは悪くなるため、防犯上の要求を満たすことはできない。そこで、本実施形態の表示システムは、現在の時刻に応じて、このディスプレイに表示する内容を変更することで、デジタルサイネージとしての要求および防犯上の要求の両方を満たすよう構成されている。
【００１９】
具体的には、図に示すように、防犯上、ショーウインドウの見通しを良くすることが特に望まれない時間帯（例：昼間）においては、本実施形態の表示システムは、あらかじめ取得し保持しているコンテンツデータを利用して、デジタルサイネージ用のコンテンツをディスプレイに表示することができる。一方、防犯上、ショーウインドウの見通しを良くすることが望まれる時間帯（例：深夜）においては、本実施形態の表示システムは、店舗内に設けられた防犯カメラが撮像した撮像データをリアルタイムに利用して、店舗内、例えば、キャッシュレジスター近辺の様子をディスプレイに表示することができる。防犯カメラは、店舗内の防犯上撮像するのが望ましい箇所を撮像しているのは言うまでもない。そして、防犯上撮像するのが望ましい箇所は、防犯上店舗外の通行人に見て欲しい箇所と共通すると考えられる。
【００２０】
このように、本実施形態の表示システムによれば、デジタルサイネージとしての要求および防犯上の要求を十分に満たす表示技術が実現される。
【００２１】
次に、本実施形態の表示システム１の構成について、詳細に説明する。図１は本実施形態の表示システム１の構成の一例を示す機能ブロック図である。図に示すように、本実施形態の表示システム１は、ディスプレイ１０と、保持部２０と、カメラ３０と、取得部４０と、再生部５０と、制御部６０と、を有する。そして、制御部６０は、現在時刻取得部６１と、決定部６２と、を有する。以下、各部の構成について詳細に説明する。
【００２２】
ディスプレイ１０は、店舗のショーウインドウに外向きに取り付けられる。ディスプレイ１０は、例えば、いわゆる高輝度型の液晶ディスプレイまたはプラズマディスプレイとすることができる。このようなディスプレイ１０を利用すれば、太陽光に照らされた明るい環境においても、視聴者は、ディスプレイ１０に表示されている内容を十分に認識することができる。なお、ディスプレイ１０の大きさは特段制限されないが、例えば、４６インチ程度であってもよい。
【００２３】
店舗のショーウインドウに外向きに取り付けられるディスプレイ１０の高さ（取り付け位置）は、より多くの通行人に見てもらうためには、１ｍ以上２ｍ以下の範囲、より好ましくは、１．５ｍ以上２ｍ以下の範囲にするのがよい。ここでの「ディスプレイ１０の高さ」は、ディスプレイ１０の下辺位置の高さである。しかし、ディスプレイ１０のどの位置を基準にして、ディスプレイ１０の高さを規定するかは任意の設計事項である。例えば、ディスプレイ１０の上辺位置の高さを基準にして、ディスプレイ１０の高さを規定してもよい。上述のような範囲にディスプレイ１０の高さを設定すれば、ディスプレイ１０は、大体、通行人の目線の高さに位置することとなる。その結果、ディスプレイに表示している情報を、より多くの通行人に見てもらえる。
【００２４】
ディスプレイ１０を店舗のショーウインドウに外向き、かつ、上述の高さに取り付ける手段としては特段制限されないが、例えば、図４（ｂ）、図５（ｂ）に示すような、ねじまたはフックなどを用いてディスプレイ１０を固定する固定部１１と、固定部１１を支持する土台１２と、を有する支持機構によりディスプレイ１０の支持を実現し、この支持機構を店舗のショーウインドウに外向きに配置することで実現してもよい。図４（ｂ）はディスプレイ１０が横長になるよう支持する例であり、図５（ｂ）はディスプレイ１０が縦長になるよう支持する例である。また、図４（ａ）、図５（ａ）は、固定部１１がディスプレイ１０を支持した状態を示す。なお、土台１２は、モータ（図示せず）または人力により、固定部１１を上下にスライド移動することができる案内機構を有していてもよい。
【００２５】
なお、上記したディスプレイ１０を店舗のショーウインドウに外向き、かつ、上述の高さに取り付ける手段は一例であり、本実施形態の表示システムはこれに限定されない。例えば、店舗内の天井から伸びたアームに固定されたフレームを用いて、ディスプレイ１０を店舗のショーウインドウに外向き、かつ、上述の高さに取り付けてもよい。
【００２６】
このようにディスプレイ１０を取り付けた店舗の外には、ディスプレイ１０に表示される内容とリンクした音声を出力するスピーカが設けられてもよい。スピーカとしては特段制限されないが、指向性を有するスピーカであってもよい。この指向性スピーカは、図６に示すように、店舗の壁面または天井を利用し、通行人の上方に設けられてもよい。そして、ディスプレイ１０が配置された店舗のショーウインドウから所定の距離以内、例えば約４．５ｍ以内の範囲に音声を届けることができる指向性を備えるよう設計されてもよい。このように設計すれば、ディスプレイ１０に表示されている内容を視聴している通行人の大多数に音声を届けることができると考えられる。
【００２７】
ここで、ディスプレイ１０が取り付けられる店舗（施設）としては、ショーウインドウを有する店舗であって、防犯上、ショーウインドウの見通しを良くすることが望まれる店舗であれば特段制限されず、あらゆる業種の店舗が該当する。例えば、コンビニエンスストア、スーパーマーケット、百貨店、レンタルビデオ店、ガソリンスタンド、ネットカフェなどの飲食店、カラオケ店などであってもよい。なお、この例示はあくまで一例であり、本実施形態の店舗（施設）は、これらに限定されない。
【００２８】
保持部２０は、ディスプレイ１０に再生表示するコンテンツのデータであるコンテンツデータを保持するよう構成されている。コンテンツデータは、例えば、デジタルサイネージ用のコンテンツデータとすることができる。このようなコンテンツデータを取得する手段としては特段制限されないが、インターネットなどのネットワーク経由で取得してもよい。
【００２９】
取得部４０は、店舗内を撮像するカメラ３０からリアルタイムに撮像データを取得するよう構成されている。カメラ３０は、店舗内に設けられた防犯カメラとすることができる。さらに詳細には、この防犯カメラは、店舗内の防犯上撮像するのが望ましい箇所を撮像している防犯カメラであってもよい。より具体的には、この防犯カメラは、キャッシュレジスターを有する店舗内に設けられた防犯カメラであって、キャッシュレジスター近辺を撮像している防犯カメラであってもよい。なお、取得部４０は、１つのカメラ３０から撮像データを取得するよう構成してもよいし、２つ以上のカメラ３０から撮像データを取得するよう構成してもよい。
【００３０】
再生部５０は、保持部２０から取得したコンテンツデータ、または、取得部４０からリアルタイムに取得した撮像データを利用して、ディスプレイ１０に画像を表示するよう構成されている。再生部５０が、保持部２０から取得したコンテンツデータを利用してディスプレイ１０に画像を表示する場合、ディスプレイ１０には、例えば、デジタルサイネージ用のコンテンツが表示されることとなる。一方、再生部５０が、取得部４０からリアルタイムに取得した撮像データを利用してディスプレイ１０に画像を表示する場合、ディスプレイ１０には、カメラ３０が撮像した店舗内の様子、例えばキャッシュレジスター近辺の様子がリアルタイムに表示されることとなる。なお、取得部４０が２つ以上のカメラ３０からリアルタイムに撮像データを取得するよう構成した場合、再生部５０は、２つ以上の撮像データを利用して、１つのディスプレイ１０に、２つ以上の画像を並べて表示してもよい。再生部５０が、コンテンツデータまたは撮像データのいずれを利用してディスプレイ１０に画像を表示するかは、以下で説明する制御部６０が制御する。
【００３１】
制御部６０は、再生部５０がコンテンツデータまたは撮像データのいずれを利用して再生を行うか、を制御する。制御部６０は、この制御を実現するため、現在時刻取得部６１と、決定部６２と、を有する。
【００３２】
現在時刻取得部６１は、現在の時刻を示すデータを取得するよう構成されている。現在時刻取得部６１が現在の時刻を示すデータを取得する手段としては特段制限されないが、例えば、表示システム１に内蔵された時計（図示せず）から現在時刻を示すデータを取得してもよい。
【００３３】
決定部６２は、現在の時刻に応じて、コンテンツデータまたは撮像データのいずれを利用して再生部５０が再生を行うかを決定するよう構成されている。
【００３４】
例えば、防犯上、ショーウインドウの見通しを良くすることが特に望まれない第１の時間帯においては、決定部６２は、コンテンツデータを利用して再生部５０が再生を行うよう決定してもよい。そして、防犯上、ショーウインドウの見通しを良くすることが望まれる第２の時間帯においては、決定部６２は、カメラ３０から取得した撮像データを利用して再生部５０が再生を行うよう決定してもよい。
【００３５】
このように構成すれば、防犯上、ショーウインドウの見通しを良くすることが特に望まれない第１の時間帯においては、ディスプレイ１０に例えばデジタルサイネージ用のコンテンツを表示し、通行人に広告等の情報を提供することができる。一方、防犯上、ショーウインドウの見通しを良くすることが望まれる第２の時間帯においては、ディスプレイ１０に、店舗内に設けられたカメラ３０が撮像した様子をリアルタイムに表示し、通行人に届けることができる。
【００３６】
第１の時間帯は、店員の数および顧客の数が比較的多い時間帯であってもよい。または、第１の時間帯は、店舗の周辺が明るい時間帯であってもよい。例えば、第１の時間帯は、６時から２２時までの時間帯、または、７時から２１時までの時間帯であってもよい。
【００３７】
第２の時間帯は、店員の数および顧客の数が比較的少ない時間帯であってもよい。または、第２の時間帯は、店舗の周辺が暗くなる時間帯であってもよい。例えば、第２の時間帯は、２２時から６時までの時間帯、または、２１時から７時までの時間帯であってもよい。
【００３８】
なお、第１の時間帯および第２の時間帯は、１年の中で変化する概念であってもよい。例えば、日の出、日の入りの時間に応じて、第１の時間帯および第２の時間帯が定まってもよい。すなわち、日の出から日の入りまでの時間帯を第１の時間帯とし、日の入りから日の出までの時間帯を第２の時間帯としてもよい。
【００３９】
決定部６２は、あらかじめ、コンテンツデータを利用して再生部５０が再生を行うよう決定する第１の時間帯と、カメラ３０から取得した撮像データを利用して再生部５０が再生を行うよう決定する第２の時間帯と、を示すデータを保持しておく。そして、現在時刻取得部６１が取得した現在の時刻を示すデータと、第１の時間帯および第２の時間帯を示すデータとを利用して、現在の時刻が第１の時間なのか第２の時間帯なのかを判断し、この判断結果に応じて、コンテンツデータまたは撮像データのいずれを利用して再生部５０が再生を行うかを決定することができる。
【００４０】
なお、第１の時間帯および第２の時間帯が動的に変化する構成の場合、決定部６２は、動的に変化する第１の時間帯および第２の時間帯を示すデータを、インターネットなどのネットワークを介して取得するよう構成し、取得した最新のデータを保持しておいてもよい。例えば、決定部６２は、毎日、日の出および日の入りの時間を、ネットワークを介して取得してもよい。
【００４１】
次に、本実施形態の表示システムの動作方法について説明する。
【００４２】
本実施形態の表示システムの動作方法は、店舗のショーウインドウに外向きに取り付けられるディスプレイに、あらかじめ保持しているコンテンツデータまたは店舗内を撮像するカメラからリアルタイムに取得した撮像データ、のいずれかを利用して画像を表示する表示システムの動作方法であって、現在の時刻を示すデータを取得する現在時刻取得工程と、現在の時刻に応じて、前記コンテンツデータ、または、前記撮像データのいずれを利用して前記ディスプレイに画像を表示するか決定する決定工程と、前記決定工程で決定した前記コンテンツデータまたは前記撮像データを利用して、前記ディスプレイに画像を表示する再生工程と、を有する。
【００４３】
以下、図３のフローチャート図を用いて、本実施形態の表示システムの動作方法の一例について詳細に説明する。
【００４４】
まず、ステップＳ１０では、表示システムは現在の時刻データを取得する。
【００４５】
次に、ステップＳ２０では、表示システムは、現在の時刻が、第１の時間帯から第２の時間帯に変更したか、または、第２の時間帯から第１の時間帯に変更したか、を判断する。
【００４６】
上述の通り、第１の時間帯は、防犯上、ショーウインドウの見通しを良くすることが特に望まれない時間帯（例：６時から２２時）であり、コンテンツデータを利用してディスプレイに画像を表示する時間帯である。第２の時間帯は、防犯上、ショーウインドウの見通しを良くすることが望まれる時間帯（例：２２時から６時）であり、店舗内に設けられたカメラから取得した撮像データ（以下、単に「撮像データ」という）を利用してディスプレイに画像を表示する時間帯である。
【００４７】
具体的な処理の流れの一例としては、表示システムは、取得した現在の時刻データと、第１の時間帯および第２の時間帯の境目の時刻データ（以下、「境目時刻データ」という。）を大小比較する。より詳細には、第１の時間帯が６時から２２時、第２の時間帯が２２時から６時の場合を考える。かかる場合の境目時刻データは、６時と２２時である。表示システムは、現在の時刻が第１の時間帯である場合には、この境目時刻データの中の、第１の時間帯の終了時刻である２２時の時刻データを利用して、この境目時刻データと、取得した現在の時刻データを大小比較する。一方、現在の時刻が第２の時間帯である場合には、表示システムは、第２の時間帯の終了時刻である６時の時刻データを利用して、この境目時刻データと、取得した現在の時刻データを大小比較する。そして、大小比較の結果、取得した現在の時刻と、境目時刻データとが一致した場合、表示システムは、第１の時間帯から第２の時間帯に、または、第２の時間帯から第１の時間帯に変更したと判断し、ステップＳ３０に進む（ステップＳ２０のＹＥＳ）。一方、境目時刻データと、取得した現在の時刻データとの大小比較の結果、不一致であった場合には、表示システムは、ステップＳ１０に戻り、上記処理を繰り返す（ステップＳ２０のＮＯ）。
【００４８】
ステップＳ３０では、表示システムは、コンテンツデータ、または、撮像データのいずれを利用してディスプレイに画像を表示するか決定する。具体的には、ステップＳ２０で、現在の時刻が第１の時間帯から第２の時間帯に変更したと判断した場合には、表示システムは、第２の時間帯に利用するデータである撮像データを利用して、ディスプレイに画像を表示するよう決定する。一方、ステップＳ２０で、現在の時刻が第２の時間帯から第１の時間帯に変更したと判断した場合には、表示システムは、第２の時間帯に利用するデータであるコンテンツデータを利用して、ディスプレイに画像を表示するよう決定する。
【００４９】
ステップＳ４０では、表示システムは、ステップＳ３０で決定した内容に従い、コンテンツデータまたは撮像データのいずれかを利用して、ディスプレイに画像を再生表示する。その後、ステップＳ１０からの処理を繰り返す。
【００５０】
上述した本実施形態の表示システムおよび表示システムの動作方法によれば、店舗のショーウインドウに外向きにディスプレイを配置する表示手段であって、デジタルサイネージとしての要求および防犯上の要求を十分に満たす表示技術を実現することができる。
＜実施形態２＞
【００５１】
まず、本実施形態の表示システムの概要について図７、８を用いて説明する。本実施形態の表示システムは、実施形態１の表示システムを基本とし、制御部６０の構成が一部異なる。
【００５２】
本実施形態の表示システムによれば、図８に示すように、昼間、および、深夜であって店舗内の顧客の人数が所定の数以上の場合には、防犯上、ショーウインドウの見通しを良くすることが特に望まれない状況であるとして、表示システムは、あらかじめ取得し保持しているコンテンツデータを利用して、例えばデジタルサイネージ用のコンテンツをディスプレイに表示することができる。一方、深夜であって店舗内の顧客の人数が所定の数未満の場合には、防犯上、ショーウインドウの見通しを良くすることが望まれる状況であるとして、表示システムは、店舗内に設けられた防犯カメラが撮像した撮像データをリアルタイムに利用して、店舗内、例えば、キャッシュレジスター近辺の様子をディスプレイに表示することができる。
【００５３】
このような本実施形態の表示システムによれば、防犯上の要求を満たしつつ、デジタルサイネージ用のコンテンツをより多くの時間ディスプレイに表示することができる。その結果、デジタルサイネージとしての要求をより十分に満たすことが可能となる。
【００５４】
次に、本実施形態の表示システム１の構成について、詳細に説明する。図７は本実施形態の表示システム１の構成の一例を示す機能ブロック図である。図に示すように、本実施形態の表示システム１は、ディスプレイ１０と、保持部２０と、カメラ３０と、取得部４０と、再生部５０と、制御部６０と、を有する。そして、制御部６０は、現在時刻取得部６１と、決定部６２と、現在顧客数取得部６３と、を有する。
【００５５】
ディスプレイ１０、保持部２０、カメラ３０、取得部４０、再生部５０、制御部６０の現在時刻取得部６１、の構成については、実施形態１と同様であるので、ここでの説明は省略する。以下、制御部６０の決定部６２および現在顧客数取得部６３の構成について詳細に説明する。
【００５６】
現在顧客数取得部６３は、ディスプレイ１０を取り付けた店舗内の現在の顧客の人数を示すデータを取得するよう構成されている。現在顧客数取得部６３が、現在の顧客の人数を示すデータを取得する具体的手段としては特段制限されないが、例えば、以下のような手段であってもよい。
【００５７】
例えば、入口と出口が独立して設けられているような店舗の場合、現在顧客数取得部６３は、人感センサーを利用することで実現してもよい。具体的には、店舗の入口および出口それぞれに人感センサーを配置しておく。そして、現在顧客数取得部６３は、このセンサーから取得した情報を利用して、店舗への人の出入りを認識するとともに、店舗内の現在の顧客の人数をカウント（加算・減算）する。このようにして、現在顧客数取得部６３は、店舗内の現在の顧客の人数を示すデータを取得してもよい。
【００５８】
その他、現在顧客数取得部６３が店舗内の現在の顧客の人数を示すデータを取得する手段としては、店舗の出入口の様子を撮像する防犯カメラを利用することで実現してもよい。具体的には、現在顧客数取得部６３は、店舗の出入り口の様子を撮像する防犯カメラに記録された画像データをリアルタイムに取得し、解析する。そして、この画像データ内の人を認識し、各々を特定するとともに、その前後の画像データを利用して、特定した人の移動方向を追跡する。そして、特定した人の移動方向を基に、店舗内への人の出入りを判断し、店舗内の人の数をカウント（加算・減算）していくことで、店舗内の現在の顧客の人数を示すデータを取得してもよい。
【００５９】
その他の手段としては、現在顧客数取得部６３は、赤外線サーモグラフィを利用することで実現してもよい。具体的には、現在顧客数取得部６３は、赤外線サーモグラフィを利用して、店舗内全体を撮像する。そして、現在顧客数取得部６３は、この画像データをリアルタイムに利用し、この画像データ内の人を認識する。そして、現在顧客数取得部６３は、認識した人の数をカウントすることで、店舗内の現在の顧客の人数を示すデータを取得してもよい。なお、現在顧客数取得部６３は、赤外線サーモグラフィで店舗の出入口の様子を撮像し、上記防犯カメラを利用した手段と同様の処理により、店舗内の現在の顧客の人数を示すデータの取得を実現してもよい。
【００６０】
決定部６２は、現在の時刻および店舗内の現在の顧客の人数に応じて、コンテンツデータまたは撮像データのいずれを利用して再生部５０が再生を行うかを決定するよう構成されている。
【００６１】
例えば、決定部６２は、第１の時間帯は、コンテンツデータを利用して再生を行い、第２の時間帯は、店舗内の現在の顧客の人数が所定の数以上の場合はコンテンツデータを利用して再生を行い、店舗内の現在の顧客の人数が所定の数未満の場合はカメラ３０から取得した撮像データを利用して再生を行うよう決定することができる。第１の時間帯および第２の時間帯の概念については、実施形態１で説明した通りであるので、ここでの説明は省略する。なお、顧客の人数の所定の数は任意の設計事項であり、例えば、１人から１０人の範囲で任意に定めてもよい。
【００６２】
次に、図９のフローチャート図を用いて、本実施形態の表示システムの動作方法の一例について詳細に説明する。
【００６３】
まず、ステップＳ１０では、表示システムは現在の時刻データを取得する。
【００６４】
次に、ステップＳ２０では、表示システムは、現在の時刻が、第１の時間帯から第２の時間帯に変更したか、または、第２の時間帯から第１の時間帯に変更したか、を判断する。この工程は、実施形態１のステップＳ２０と同様であるので、ここでの説明は省略する。ステップＳ２０において、現在の時刻が、第１の時間帯から第２の時間帯に、または、第２の時間帯から第１の時間帯に変更したと判断した場合には、ステップＳ３０に進む。一方、変更していないと判断した場合には、ステップＳ７０に進む。
【００６５】
ステップＳ３０では、変更後の現在の時刻が、第１の時間帯であるか否か判断する。この判断は、ステップＳ２０の判断結果に基づいて、実現することができる。現在の時刻が第１の時間帯である場合には、ステップＳ５０に進む。一方、現在の時刻が第１の時間帯でない場合、すなわち第２の時間帯である場合には、ステップＳ４０に進む。
【００６６】
ステップＳ５０では、ディスプレイに再生表示するために使用するデータを決定する。ステップＳ３０でＹＥＳと判断し、ステップＳ５０に進んだ場合、表示システムは、現在の時刻に応じて、再生に使用するデータを決定する。かかる場合、現在の時刻は第１の時間帯であるので、表示システムは、再生に使用するデータとして、コンテンツデータを決定する。その後、ステップＳ６０に進み、ステップＳ５０で決定したコンテンツデータを利用して、ディスプレイに画像を再生表示する。その後、ステップＳ１０からの処理を繰り返す。
【００６７】
一方、ステップＳ３０でＮＯと判断し、ステップＳ４０に進んだ場合、ステップＳ４０では、現在の店舗内の顧客の人数を示すデータを取得する。そして、ステップＳ５０では、現在の時刻および店舗内の現在の顧客の人数に応じて、再生に使用するデータを決定する。かかる場合、現在の時刻は第２の時間帯であるので、店舗内の現在の顧客の人数が所定の数以上の場合には、表示システムは、再生に使用するデータとして、コンテンツデータを決定する。一方、店舗内の現在の顧客の人数が所定の数未満の場合には、表示システムは、再生に使用するデータとして、撮像データを決定する。その後、ステップＳ６０に進み、ステップＳ５０で決定したデータを利用して、ディスプレイに画像を再生表示する。その後、ステップＳ１０からの処理を繰り返す。
【００６８】
一方、ステップＳ２０でＮＯと判断し、ステップＳ７０に進んだ場合、表示システムは、現在の時刻が、第１の時間帯であるか否か判断する。この判断は、ステップＳ２０の判断結果に基づいて、実現することができる。現在の時刻が第１の時間帯である場合には、ステップＳ１０に戻り、上述の処理を繰り返す。一方、現在の時刻が第１の時間帯でない場合、すなわち第２の時間帯である場合には、ステップＳ８０に進む。
【００６９】
ステップＳ８０では、現在の店舗内の顧客の人数を示すデータを取得する。そして、ステップＳ９０では、表示システムは、現在の顧客の人数が、あらかじめ定められた所定の数以上か所定の数未満かを判断する。そして、その後、その判断の結果が、その直前の判断結果（所定の数以上か所定の数未満かの判断結果）と、同じか否かを判断する。
【００７０】
例えば、取得した現在の顧客の人数を示すデータと、あらかじめ定められた所定の数を示すデータと、を大小比較する。そして、その大小比較の結果が、保持しておいた直前の大小比較の結果と同じか否かを判断することで実現してもよい。判断の結果、直前の判断結果と異なっていれば、表示システムは、ステップＳ５０に進む。一方、判断の結果、直前の判断結果と同じであれば、表示システムは、ステップＳ１０に戻り、上記処理を繰り返す。
【００７１】
ステップＳ５０では、表示システムは、現在の時刻および店舗内の現在の顧客の人数に応じて、再生に使用するデータを決定する。かかる場合、現在の時刻は第２の時間帯であるので、店舗内の現在の顧客の人数が所定の数以上の場合には、表示システムは、再生に使用するデータとして、コンテンツデータを決定する。一方、店舗内の現在の顧客の人数が所定の数未満の場合には、表示システムは、再生に使用するデータとして、撮像データを決定する。そして、ステップＳ６０に進み、ステップＳ５０で決定したデータを利用して、ディスプレイに画像を再生表示する。その後、ステップＳ１０からの処理を繰り返す。
【００７２】
上述した本実施形態の表示システムおよび表示システムの動作方法によれば、店舗のショーウインドウに外向きにディスプレイを配置する表示手段であって、デジタルサイネージとしての要求および防犯上の要求を十分に満たす表示技術を実現することができる。
【符号の説明】
【００７３】
１    表示システム
１０  ディスプレイ
１１  固定部
１２  土台
２０  保持部
３０  カメラ
４０  取得部
５０  再生部
６０  制御部
６１  現在時刻取得部
６２  決定部
６３  現在顧客数取得部
【図１】
2011133715.tif 000003
【図２】
2011133715.tif 000004
【図３】
2011133715.tif 000005
【図４】
2011133715.tif 000006
【図５】
2011133715.tif 000007
【図６】
2011133715.tif 000008
【図７】
2011133715.tif 000009
【図８】
2011133715.tif 000010
【図９】
2011133715.tif 000011